(57)【要約】【課題】回転輪配列電灯表示装置の提供。【解決手段】本考案は一種の回転輪配列電灯表示装置に関わるもので、主に回転輪の輪面に配列灯を固定して設ける。回転輪が設定角度に回転したとき、配列灯は制御装置の制御により点灯される。検知素子を設け、回転輪の回転速度を検出して、回転速度を制御装置に提供し、回転輪がそれぞれの設定角度に回転の必要時間を計算し、制御装置により、配列灯が設定角度に移動したとき、精確に点灯させる。なお、点灯の数と点灯位置はあらかじめに設定できる。これらの部品により、制御装置にて、表示する情報(文字又は図画)を設定し、配列灯の移動角度に従って設定された点灯位置に合わせて、視覚の残留原理により、回転輪の輪面に必要メッセージを表示させる。【選択図】図１
0003120911.tif 000002
【実用新案登録請求の範囲】
【請求項１】
回転輪の輪面に複数の電灯より構成する配列灯を設けて固定しておく、配列灯は制御装置により制御され、設定角度を移動するたびに１回を点灯し、作動する点灯位置も制御装置が表示する情報によって制御を行い、検知素子を設け、回転輪の回転速度を検出して、マイクロ・コントローラーに伝送し、配列灯１回の作動につき、回転輪の必要回転時間の演算処理を行い、これらの部品および視覚残留の原理を利用し、人間が回転輪に向かったとき、回転輪の輪面より情報を表示させる構造であることを特徴とする回転輪配列電灯表示装置。
【請求項２】
請求項１記載の回転輪配列電灯表示装置において、そのうち、制御装置はマイクロ・コントローラーを設けることを特徴とする回転輪配列電灯表示装置。
【請求項３】
請求項１記載の回転輪配列電灯表示装置において、そのうち、速度検知素子は回転輪外部に固定する磁石および回転輪の輪面に固定するばねスイッチを設けることを特徴とする回転輪配列電灯表示装置。
【請求項４】
請求項１記載の回転輪配列電灯表示装置において、そのうち、輪面に表示する情報は回転輪そのときの回転速度であることを特徴とする配列電灯表示装置。
【考案の詳細な説明】
【技術分野】
【０００１】
本考案は一種の回転輪の輪面に配列灯を設け、回転輪を回転させ、検知素子により、回転輪の回転速度を検出し制御装置に伝送する。制御装置にて表示する情報を回転角度に従って設定しておく、視覚残留の原理を利用し、必要情報回転輪の輪面に表示させる。
【背景技術】
【０００２】
回転輪装置の種類は運動ジムにあるフライホイール、自転車の車輪などがある。公知技術の運動ジムにあるフライホイールはアスレチック用の抵抗車輪にとどまり、いかなる付加価値もない。そして、自転車の車輪も走行を助けるものに過ぎない。このため、本考案者は回転輪の付加価値について研究・分析を繰り返し、本考案を思案した。
【考案の開示】
【考案が解決しようとする課題】
【０００３】
本考案の主な目的は、回転輪の輪面に情報を表示させ、回転輪の付加価値を向上できる回転輪配列灯表示装置を提供する。
【０００４】
本考案の主な特長は、回転輪の輪面に１列の配列灯を設け、回転輪は設定された角度に回転したとき、配列灯は制御装置の制御により点灯する。検知素子を設け、回転輪の回転速度を検出して、回転速度を制御装置に提供し、回転輪がそれぞれの設定角度に回転するの必要時間を計算し、制御装置により、配列灯が設定角度に移動したとき、精確に点灯させる。なお、点灯の数と点灯位置はあらかじめに設定できる。これらの部品により、制御装置にて、表示する情報(文字又は図画)を設定し、配列灯の移動角度に従って設定された点灯位置に合わせて、視覚の残留原理により、回転輪の輪面に必要メッセージを表示させる。
【課題を解決するための手段】
【０００５】
請求項１の考案は、回転輪の輪面に複数の電灯より構成する配列灯を設けて固定しておく、配列灯は制御装置により制御され、設定角度を移動するたびに１回を点灯し、作動する点灯位置も制御装置が表示する情報によって制御を行い、検知素子を設け、回転輪の回転速度を検出して、マイクロ・コントローラーに伝送し、配列灯１回の作動につき、回転輪の必要回転時間の演算処理を行い、これらの部品および視覚残留の原理を利用し、人間が回転輪に向かったとき、回転輪の輪面より情報を表示させる構造であることを特徴とする回転輪配列電灯表示装置としている。
請求項２の考案は、請求項１記載の回転輪配列電灯表示装置において、そのうち、制御装置はマイクロ・コントローラーを設けることを特徴とする回転輪配列電灯表示装置としている。
請求項３の考案は、請求項１記載の回転輪配列電灯表示装置において、そのうち、速度検知素子は回転輪外部に固定する磁石および回転輪の輪面に固定するばねスイッチを設けることを特徴とする回転輪配列電灯表示装置としている。
請求項４の考案は、請求項１記載の回転輪配列電灯表示装置において、そのうち、輪面に表示する情報は回転輪そのときの回転速度であることを特徴とする配列電灯表示装置としている。
【考案の効果】
【０００６】
本考案は一種の回転輪配列電灯表示装置に関わるもので、主に回転輪の輪面に配列灯を固定して設ける。回転輪が設定角度に回転したとき、配列灯は制御装置の制御により点灯される。検知素子を設け、回転輪の回転速度を検出して、回転速度を制御装置に提供し、回転輪がそれぞれの設定角度に回転の必要時間を計算し、制御装置により、配列灯が設定角度に移動したとき、精確に点灯させる。なお、点灯の数と点灯位置はあらかじめ設定できる。これらの部品により、制御装置にて、表示する情報(文字又は図画)を設定し、配列灯の移動角度に従って設定された点灯位置に合わせて、視覚の残留原理により、回転輪の輪面に必要メッセージを表示させる。
【考案を実施するための最良の形態】
【０００７】
図１、図２に示すとおり、回転輪１０の輪面に１列複数の電灯(ＬＥＤを使用しても良い)より組み合わせた配列灯１１を設ける。検知素子２０を設け、回転輪１０の回転速度を検出する。検知素子２０は回転輪１０外部に固定する磁石２１および回転輪１０の輪面に設けるばねスイッチ２２より構成する。制御装置３０(マイクロ・コントローラーなど(Ｍｉｃｒｏ  Ｃｏｎｔｒｏｌｌｅｒ、図２に示す)を設け、検知素子２０より、回転輪１０の回転速度検出し、配列灯１１が設定された角度に移動する時間を算出し、配列灯１１は回転輪１０の回転に従い、一つの設定角度を回転するたびに配列灯１１は１回を動作する。回転輪１０の輪面に表示させる情報(文字又は図画)を設定しておく、情報の(文字又は図画)内容に基づいて、配列灯１１は回転輪１０が設定角度を移動したときの点灯位置制御を行う。
【０００８】
図１に示すものは、前記の部品を組み合わせたものである。使用するときの操作方法は、
（１）制御装置３０にて、回転輪１０の輪面に表示させる情報および配列灯１１が一つの設定角度を移動したときの角度を設定する。図３、図４に示すものは、回転輪１０の輪面に表示する情報は「ＴＯＮＩＣ」という文字を仮定し、この情報は回転輪１０の輪面１８０度の角度範囲に限り、配列灯１１は設定角度４度を回転するたびに、１回を動作する。そして、配列灯１１は始動した後(図３、図４に示す)、一つ目の電灯を点灯させ、配列灯１１が第２位置に移動したとき(すなわち、設定角度は４度角の場合)、配列灯１１は一つ目の電灯しか点灯しない。配列灯１１が第５位置に移動したとき(すなわち、１６度角の場合)、一列の配列灯１１が全部点灯する。この類推で、表示したい文字「ＴＯＮＩＣ」の表示を実現する。
（２）配列灯１１が回転輪１０に従い、前半円周に移動したとき、配列灯１１は設定角度４度ごとに１回を作動する。配列灯１１が後半円周に移動したとき、作動しない(必要により、配列灯１１が後半円周に移動したときに情報を表示させるも設定できる)ことを設定する。視覚残留の原理を利用し、人が回転輪１０に向かったとき、回転輪１０が１週を回転するたびに、文字情報「ＴＯＮＩＣ」は１回表示される。
（３）回転輪１０はアスレチック自転車のフライホイールまたは自転車の車輪のとき、回転輪１０利用者により駆動されるため、回転輪１０の回転速度はまちまちになる。本考案は、回転輪１０の周辺に検知素子２０を設け、回転輪１０の回転速度を検出して、制御装置３０に伝送し、制御装置３０により、回転輪１０が一周を回転した時間(ｔ)/４５(ｔ８０度/４度)に基づいて、配列灯１１は設定角度(４度)を移動するために必要な時間を算出し、配列灯１１が設定角度を移動するたびに、１回を作動する。一例として、検知素子２０により、回転輪１０が一周を回転する時間は２秒とし、２秒/４５=０.０４４秒。すなわち、配列灯１１は一回を作動する時間間隔となる(設定角度４度を移動するたびに、配列灯１１は１回を作動する)。
（４）回転輪１０の輪面に固定式の情報を表示するほか、固定式でない文字情報を表示することもできる。一例として、回転輪１０その時点の回転速度(図５に示す)を表示する。これは、検知素子２０より検出した回転輪１０の回転速度を制御装置３０に伝送し、制御装置３０により、回転速度を配列灯１１にリアルタイムで表示させる。
【０００９】
前記の説明により、本考案は回転輪１０の輪面に１列の配列灯を設けていた。しかし、速度検知素子２０、制御装置３０と結合し、および視覚残留の原理を利用することにより、回転輪１０は回転するときに、表示したい情報を表示することができる。
【図面の簡単な説明】
【００１０】
【図１】本考案の実施例の正面図である。
【図２】本考案の実施例の制御図である。
【図３】本考案の実施例の使用を示す図である。
【図４】本考案図３の使用を示す展開図である。
【図５】本考案の実施例もう一つの使用を示す図である。
【符号の説明】
【００１１】
１０  回転輪
１１  配列灯
２１  磁石
２０  検出素子
２２  ばねスイッチ
３０  制御装置
【図１】
0003120911.tif 000003
【図２】
0003120911.tif 000004
【図３】
0003120911.tif 000005
【図４】
0003120911.tif 000006
【図５】
0003120911.tif 000007